(57)【特許請求の範囲】
【請求項１】
アンテナ切換回路に接続される２つのアンテナ（１−１、１−２）と、アンテナ切換信号により選択された該アンテナの１つに接続され、高周波増幅器、局部発振器、ミクサ、チャンネル同調回路を有するフロントエンド（３）と、該フロントエンドに接続され、変調信号を元のコンポジット信号に戻す復調回路（４）とを有し、音声信号とデータ信号とを多重化したＦＭ放送波を選択して受信するＦＭダイバーシティ受信機において、
前記復調回路からの前記コンポジット信号から抽出したパイロット信号のレベル変動を検出し、該変動レベルが一定のスレシュホールド電圧を越えたときにマルチパス検出信号を出力するマルチパス検出部（１１）と、
前記復調回路からのＳレベルが基準値よりも小さくなるときに、前記データのエラー検出信号を出力し、前記データ信号の受信が無い場合には、前記基準値の値を小さくして前記データのエラー検出信号を出力抑制するデータエラー検出部（１２）と、
前記マルチパス検出信号及び前記データエラー検出信号のいずれかを前記アンテナ切換信号として形成するアンテナ選択信号発生部（２４）とを備えたことを特徴とするＦＭダイバーシティ受信機。
【請求項２】
アンテナ切換回路に接続される２つのアンテナ（１−１、１−２）と、アンテナ切換信号により選択された該アンテナの１つに接続され、高周波増幅器、局部発振器、ミクサ、チャンネル同調回路を有するフロントエンド（３）と、該フロントエンド（３）に接続され、変調信号を元のコンポジット信号に戻す復調回路（４）とを有し、音声信号とデータ信号とを多重化したＦＭ放送波を選択して受信するＦＭダイバーシティ受信機において、
前記復調回路からの前記コンポジット信号から抽出した周波数７６ｋＨｚのデータ信号のレベル変動を検出して該変動レベルが一定のスレシュホールド電圧を超えたときにマルチパス検出信号を出力し、前記アンテナ切換信号の発生頻度が高い場合には、前記スレシュホールド電圧を大きくする変更を行って前記マルチパス検出信号を出力するマルチパス検出部（１１）と、
前記マルチパス検出信号を前記アンテナ切換信号として形成するアンテナ選択信号発生部（２４）とを備え、
前記アンテナ切換信号による前記アンテナの選択の発生頻度が所定値以上である場合に、前記アンテナの時間的な選択割合を比較し、前記アンテナのうち該選択割合が大きい方を選択するアンテナ制御補助回路（２８）を有することを特徴とするＦＭダイバーシティ受信機。
【請求項３】
前記アンテナ制御補助回路は、前記アンテナの選択の発生頻度を、前記アンテナ切換信号の立ち上がり、立ち下がりで計測することを特徴とする請求項２に記載のＦＭダイバーシティ受信機。
【請求項４】
アンテナ切換回路に接続される２つのアンテナ（１−１、１−２）と、アンテナ切換信号により選択された該アンテナの１つに接続され、高周波増幅器、局部発振器、ミクサ、チャンネル同調回路を有するフロントエンド（３）と、該フロントエンド（３）に接続され、変調信号を元のコンポジット信号に戻す復調回路（４）とを有し、音声信号とデータ信号とを多重化したＦＭ放送波を選択して受信するＦＭダイバーシティ受信機において、
前記復調回路からの前記コンポジット信号から抽出した周波数７６ｋＨｚのデータ信号のレベル変動を検出して該変動レベルが一定のスレシュホールド電圧を超えたときにマルチパス検出信号を出力し、前記アンテナ切換信号の発生頻度が高い場合には、前記スレシュホールド電圧を大きくする変更を行って前記マルチパス検出信号を出力するマルチパス検出部（１１）と、
前記マルチパス検出信号を前記アンテナ切換信号として形成するアンテナ選択信号発生部（２４）とを備え、
前記マルチパス検出部は、検出範囲変更部（２９）を有し、
前記検出範囲変更部が、前記復調回路からのパイロット信号の有無によりステレオ又はモノラルの区別を行い、該区別を基に、前記コンポジット信号から抽出した信号レベルの変動の検出範囲を変更することを特徴とするＦＭダイバーシティ受信機。
【請求項５】
アンテナ切換回路に接続される２つのアンテナ（１−１、１−２）と、アンテナ切換信号により選択された該アンテナの１つに接続され、高周波増幅器、局部発振器、ミクサ、チャンネル同調回路を有するフロントエンド（３）と、該フロントエンド（３）に接続され、変調信号を元のコンポジット信号に戻す復調回路（４）とを有し、音声信号とデータ信号とを多重化したＦＭ放送波を選択して受信するＦＭダイバーシティ受信機において、
前記復調回路からの前記コンポジット信号から抽出した周波数７６ｋＨｚのデータ信号のレベル変動を検出し、該変動レベルが一定のスレシュホールド電圧を越えたときに、マルチパス検出信号を出力し、前記アンテナの切換頻度を低減する切換低減部（３０）により一定期間内のマルチパス検出信号の出力が阻止されるマルチパス検出部（１１）と、
前記復調回路からのＳレベルが基準値よりも小さくなるときに前記データのエラー検出信号を出力するデータエラー検出部（１２）と、
前記マルチパス検出信号及び前記データエラー検出信号のいずれかを前記アンテナ切換信号として形成するアンテナ選択信号発生部（２４）とを備えたことを特徴とするＦＭダイバーシティ受信機。
【請求項６】
前記切換低減部は、前記マルチパス検出信号のレベルが一定のスレシュホールド電圧を越える場合に時間の計測を開始し、一定の時間になるまで計測を行ってマルチパス検出信号の出力を阻止することを特徴とする請求項５に記載のＦＭダイバーシティ受信機。
【発明の詳細な説明】
【０００１】
【発明の属する技術分野】
本発明はＦＭダイバーシティ受信機に関し、特に移動体に搭載され、多重化されたデータの受信エラーを防止するＦＭダイバーシティ多重放送受信機に関する。
【０００２】
【従来の技術】
上記ＦＭダイバーシティ受信機に、１チューナ方式ダイバーシティが採用され、これにより、１９ｋＨｚパイロット信号のレベル変動を検出することにより、マルチパス検出を行っているものがある。
【０００３】
【発明が解決しようとする課題】
ところで、ＦＭ放送界では、新たに移動体に対するＦＭ多重放送が開始される。この放送の受信においては、音声のみならずデータ受信という要素が加わる。しかしながら、従来のダイバーシティ方式では音声を良好に受信するための技術であり、ＦＭ多重データ受信に対して最適になるものではないとの問題がある。すなわち、ＦＭ多重データ受信でのデータエラーとマルチパス歪みとの関係が完全に一致していない場合があり、たとえばＦＭ多重データの方が音声品質より高い入力レベルからデータエラーが発生するので、マルチパス歪みがなく音声品質が良くてもデータエラーが発生するとの問題がある。特に、移動体がビルの影になったり、放送局から離れたときのように弱入力となった場合には、マルチパス検出だけではデータエラーの発生を防止できない。このためにＦＭ音声受信とＦＭ多重データとで最適受信法を異なるようにした場合、両方を同時に良好に受信する必要がある。
【０００４】
また、ＦＭ多重受信では、データ伝送品質を確保するため、誤り訂正符号化が行われているが、短い期間のエラーは、訂正符号で正しいデータに訂正して受信することができる。このため訂正可能な状態でのダイバーシティ動作は、アンテナの切換頻度を高めるとの問題がある。
また、アンテナ切換頻度が高い場合には不要な切換を強制的に抑制する必要がある。
【０００５】
したがって、本発明は、上記課題に鑑み、音声の受信と同時にデータ受信の性能向上を行うことができるＦＭダイバーシティ受信機を提供することを目的とする。
【０００６】
【課題を解決するための手段】
本発明は、前記問題点を解決するために、次の構成を有するＦＭダイバーシティ受信機を有する。すなわち、音声信号とデータ信号とを多重化したＦＭ放送波を受信する２つのアンテナを有し、受信状況の良い方の放送波を選択するＦＭダイバーシティ受信機に、前記２つのアンテナの１つを選択するためのアンテナ切換回路と、前記２つのアンテナの１つに接続され、高周波増幅器、局部発振器、ミクサ、チャンネル同調回路を収容するフロントエンドと、該フロントエンドに接続され、変調信号を元のコンポジット信号に戻す復調回路とが設けられる。マルチパス検出部は、該復調回路からの前記コンポジット信号から抽出した信号レベルの変動を検出して変動レベルが一定のスレシュホールド電圧を越えたときにマルチパス検出信号を出力する。データエラー検出部は、前記復調回路からのＳレベルが基準値よりも小さくなるときに前記データのエラー検出信号を出力する。アンテナ選択信号発生部は、前記マルチパス検出信号及び前記データエラー検出信号のいずれかを前記アンテナ切換回路へのアンテナ選択信号として形成する。
【０００７】
前記データエラー検出部は、前記基準値以下である前記Ｓレベルが一定時間だけ継続する場合に、データエラー検出信号を出力するようにしてもよい。
前記データエラー検出部は、データ信号の受信の有無を検出してデータ信号の受信が無い場合には、前記基準値の値を小さくしてデータエラー検出信号の出力を抑制するようにしてもよい。
【０００８】
さらに、スレシュホールド電圧変更部が設けられ、該スレシュホールド電圧変更部は、前記マルチパス検出部において前記変動レベルが前記スレシュホールド電圧を越える場合には、このスレシュホールド電圧を大きくする変更を行ってもよい。
前記マルチパス検出部は、前記マルチパス検出信号を積分する誤検出防止回路を有し、該誤検出防止回路は、前記マルチパス検出信号を積分して、外部から侵入する時間幅の小さいノイズを除去するようにしてもよい。
【０００９】
さらに、アンテナ制御補助回路が設けられ、該アンテナ制御補助回路は前記２つのアンテナの選択の発生頻度が所定値以上になった場合には、前記２つのアンテナの時間的な選択割合を比較し、２つのアンテナのうち前記選択割合が大きい方を選択するようにしてもよい。
前記アンテナ制御補助回路は、前記２つのアンテナの選択の発生頻度を、前記アンテナ切換回路に出力されるアンテナ選択信号の立ち上がり、立ち下がりで計測するようにしてもよい。
【００１０】
前記前記マルチパス検出部は、検出範囲変更部を有し、該検出範囲変更部は前記復調回路からのパイロット信号の有無を判別しステレオ又はモノラルの区別を行って、この区別を基に、前記コンポジット信号から抽出した信号レベルの変動の検出範囲を変更するようにしてもよい。
前記マルチパス検出部は、前記復調回路の前記コンポジット信号からパイロット信号を抽出して変動信号を形成するようにしてもよい。
【００１１】
前記マルチパス検出部は、前記復調回路の前記コンポジット信号からデータ信号の周波数を越える高域ノイズレベルをを抽出して変動信号を形成するようにしてもよい。
前記マルチパス検出部は、前記復調回路の前記コンポジット信号から周波数７６ｋＨｚのデータ信号を抽出してＦＭ多重データ処理を行うための前記７６ｋＨｚバンドパスフィルタの出力を分岐して、変動信号を形成するようにしてもよい。
【００１２】
前記マルチパス検出部は、前記７６ｋＨｚバンドパスフィルタの抽出信号を、ＦＦＴを用いて、周波数分析し、周波数分析の結果のレベルが所定範囲から外れるレベル変動を検出しこれをマルチパス検出信号として求めるようにしてもよい。
前記マルチパス検出部は、前記７６ｋＨｚバンドパスフィルタの抽出信号を複数のバントパスフィルタを用いて周波数分析し、周波数分析の結果のレベルが、複数のレベル判別器を用いて、所定範囲から外れるレベル変動を検出しこれをマルチパス検出信号として求めるようにしてもよい。
【００１３】
前記マルチパス検出部は、前記２つのアンテナに切換を低減する切換低減部を有し、該切換低減部は前記復調回路からの前記コンポジット信号から抽出した信号レベルの変動を検出して変動レベルが一定のスレシュホールド電圧を越えたときにマルチパス検出信号を出力した後一定期間内のマルチパス検出信号の出力を阻止するようにしてもよい。
【００１４】
前記切換低減部は、前記マルチパス検出信号のレベルが一定のスレシュホールド電圧を越える場合に時間の計測を開始し、一定の時間になるまで計測し、この間、マルチパス検出信号の出力を阻止するようにしてもよい。
本発明によれば、マルチパス検出部は、該復調回路からの前記コンポジット信号から抽出した信号レベルの変動を検出して変動レベルが一定のスレシュホールド電圧を越えたときにマルチパス検出信号を出力し、データエラー検出部は、前記復調回路からのＳレベルが基準値よりも小さくなるときに前記データのエラー検出信号を出力する。アンテナ選択信号発生部は、前記マルチパス検出信号及び前記データエラー検出信号のいずれかを前記アンテナ切換回路へのアンテナ選択信号として形成することにより、移動体がビルの影になったり、放送局から離れたときのように弱入力となった場合のようにマルチパス検出によるダイバシティだけでは改善できない弱入力に対してビットエラーを低減でき、ＦＭ多重受信品質の改善が可能になり、全体にＦＭ多重受信の品質が向上する。
【００１５】
前記データエラー検出部は、前記基準値以下である前記Ｓレベルが一定時間だけ継続する場合に、データエラー検出信号を出力することにより、よりきめ細かなＦＭ多重受信限界が判定でき不必要なダイバシティ切換による逆効果を防ぐことができる。
前記データエラー検出部は、データ信号の受信の有無を検出してデータ信号の受信が無い場合には、前記基準値の値を小さくしてデータエラー検出信号の出力を抑制することにより音声、ＦＭ多重受信ともに良好な受信品質を得ることができる。
【００１６】
さらに、スレシュホールド電圧変更部が設けられ、該スレシュホールド電圧変更部は、前記マルチパス検出部において前記変動レベルが前記スレシュホールド電圧を越える場合には、このスレシュホールド電圧を大きくする変更を行うことにより、小さな変動レベルに対してはアンテナ切換頻度を強制的に低減し不要な切換を低減する。
【００１７】
前記マルチパス検出部は、前記マルチパス検出信号を積分する誤検出防止回路を有し、該誤検出防止回路は、前記マルチパス検出信号を積分して、外部から侵入する時間幅の小さいノイズを除去することにより、車載用の場合、エンジンのイグニッションのノイズが電源ラインを伝わってくるが、これにより誤動作を防止できる。
【００１８】
さらに、アンテナ制御補助回路が設けられ、該アンテナ制御補助回路は前記２つのアンテナの選択の発生頻度が所定値以上になった場合には、具体的には前記アンテナ切換回路に出力されるアンテナ選択信号の立ち上がり、立ち下がりで計測して、前記２つのアンテナの時間的な選択割合を比較し、２つのアンテナのうち前記選択割合が大きい方を選択することにより、メイン、サブの両アンテナがマルチパス妨害を受けているときであってもより受信状況の良い方のアンテナを選択することができる。
【００１９】
前記前記マルチパス検出部は、検出範囲変更部を有し、該検出範囲変更部は前記復調回路からのパイロット信号の有無を判別しステレオ又はモノラルの区別を行って、この区別を基に、前記コンポジット信号から抽出した信号レベルの変動の検出範囲を変更することにより、レベル変動検出のより最適なスレシュホールド電圧を設定することができる。
【００２０】
前記マルチパス検出部は、前記復調回路の前記コンポジット信号からパイロット信号、データ信号の周波数を越える高域ノイズレベル、前記７６ｋＨｚバンドパスフィルタの出力を分岐信号から具体的には変動信号を形成することができ、特に、前記７６ｋＨｚバンドパスフィルタの抽出信号を用いる場合には、上記のように、パイロットフィルタ、高域ノイズ抽出用のフィルタが不要であり、ＦＭ多重データ処理に使用するバンドパスフィルタが使用でき、データと相関の高いマルチパス検出が可能になり音声体の高周波歪みを影響が受け難くい。
【００２１】
前記マルチパス検出部はＦＦＴ又は複数のバンドパスフィルタを用いて、前記７６ｋＨｚバンドパスフィルタの抽出信号を周波数分析し、周波数分析の結果のレベルが所定範囲から外れるレベル変動を検出しこれをマルチパス検出信号として求めることにより、より詳細なレベル変動を基にマルチパス検出が可能になる。
【００２２】
前記マルチパス検出部の切換低減部は前記復調回路からの前記コンポジット信号から抽出した信号レベルの変動を検出して変動レベルが一定のスレシュホールド電圧を越えたときにマルチパス検出信号を出力した後一定期間内のマルチパス検出信号の出力を阻止することにより、過渡のアンテナ切換を防止する。
前記切換低減部は、前記マルチパス検出信号のレベルが一定のスレシュホールド電圧を越える場合に時間の計測を開始し、一定の時間になるまで計測し、この間、マルチパス検出信号の出力を阻止することにより、上記と同様に過度のアンテナ切換を防止する。
【００２３】
【発明の実施の形態】
以下本発明の実施の形態について図面を参照して説明する。
図１は本発明の第１の実施の形態に係るＦＭダイバーシティ受信機を示す図である。本図に示すように、移動体に搭載されるＦＭダイバーシティ受信機は、二つのアンテナ１−１（メイン側）、１−２（サブ側）と、アンテナ１−１、１−２の一方に切り換えるアンテナ切換回路２と、アンテナ切換回路２に接続されＲＦ増幅器、局部発振器、ミクサ、チャンネル同調回路などを収容するフロントエンド３と、フロントエンド３に接続され変調信号を元の信号に戻しコンポジット信号を形成する復調回路４と、音声処理を行うために、復調回路４に接続されコンポジット信号を復調し音声信号としてステレオ信号を形成するステレオ復調回路５と、音声信号を電力増幅するパワーアンプ６と、パワーアンプ６により駆動されるスピーカ７と、ＦＭ多重データ処理  行うために、前記復調回路４に接続されコンポジット信号から７６ｋＨｚのデータ信号を抽出する７６ｋＨｚバンドパスフィルタ８と、７６ｋＨｚバンドパスフィルタ８に接続されデータ信号を復調しデコードするＦＭ多重復調・デコード部９と、ＦＭ多重復調・デコード部９に接続されデータを表示するＦＭ多重データ表示部１０と、ダイバーシティ制御処理を行うために、復調回路４からのコンポジット信号を共にマルチパスを検出するマルチパス検出部１１と、復調回路４から受信電界レベル信号であるＳレベル信号の低下を検出して前記データ信号のエラーを防止するためのデータエラー検出部１２と、マルチパス検出部１１とデータエラー検出部１２との出力信号を入力する論理和（ＯＲ）回路２３と、アンテナ切換回路２にアンテナ選択信号を発生するため論理和回路２３の信号の立ち上がりで反転するための双安定マルチバイブレータからなるアンテナ選択信号発生部２４とを具備する。
【００２４】
図２は移動体ＦＭ多重放送の周波数配置を説明する図である。本図に示すように、移動体ＦＭ多重放送の周波数配置として、周波数が小さい順に、メイン信号（Ｌ＋Ｒ）、パイロット信号、サブ信号（Ｌ−Ｒ）、ＦＭ多重データが配置される。パイロット信号（１９Ｈｚ）、ＦＭ多重データの信号レベルは正常時に４〜１０％の範囲にある。
【００２５】
マルチパス検出部１１はコンポジット信号からパイロット信号を検出するフィルタを有するパイロット信号検出部２０と、パイロット信号検出部２０に接続され検出パイロット信号のレベル変動を検出するレベル変動検出部２１と、レベル変動検出部２１に接続されレベル変動信号とスレシュホールド電圧とを比較するコンパレータからなりアンテナ切換信号を発生するスレシュホールド電圧比較部２２とを具備する。
【００２６】
図３は図１のレベル変動検出部２１を示す図である。本図に示すように二つの減算回路からなり、それぞれの減算回路の一方の入力端子へのスレシュホールドＶth1、Ｖth2（Ｖth1＞Ｖth2）とし、入力信号ｖi、出力信号ｖoとすると、上段の減算回路により、
ｖo＝ｖi−Ｖth1
を得る。そして、減算回路の後段のダイオードにより、ｖo≧０となる。また、下段の減算回路により、
ｖo＝Ｖth2−ｖi
を得る。そして、減算回路の後段のダイオードにより、ｖo≧０となる。
【００２７】
図２のスレシュホールド電圧Ｖth1は前記信号レベル１０％に対応し、同様にＶth2は前記信号レベルの４％に対応する。
このようにして、マルチパス歪みによりアンテナを切り換えるダイバーシティ制御を行って音声品質の劣化を防止可能とする。
データエラー検出部１２は、復調回路４からのＳレベル信号を反転端子に入力し、多重データ受信限界電界レベルを示す基準電圧Ｖr1を非反転端子に入力する比較器３１と、一方が比較器３１の出力に接続され他方が論理和２３に接続されるコンデンサ３２と、コンデンサ３２の出力側にカソードが接続されアノードが接地されるダイオード３３とを具備し、コンデンサ３２とダイオード３３とで検出立ち上がり時にパルスを発生する。基準電圧Ｖr1は、入力レベルが小さくなるとＦＭ多重データエラーが増加し、あるレベル以下では誤り訂正ができずＦＭ多重が受信できなくなる入力レベルとする。このようにして、移動体がビルの影になったり、放送局から離れたときのように弱入力となった場合のように、Ｓレベルを基にダイバーシティ制御によりアンテナを切換えてデータエラーを防止可能とする。
【００２８】
図４は図１のダイバーシティ制御処理を説明する図である。本図（ａ）に示すように、多重データ受信限界電界レベルを示す基準電圧Ｖr1に対してＳレベル信号が入力し、本図（ｂ）に示すように、仮にマルチパスが検出されない場合には１つのアンテナで多重データ受信が継続されて異常が発生し、本図（ｃ）に示すように、このデータ異常発生に対応してデータエラーが検出でき、本図（ｄ）に示すように、データエラー検出を基にアンテナが切り換わって、正常にＦＭ多重受信が可能になる。
【００２９】
したがって、本形態によれば、マルチパス歪み信号と一定値以下のＳレベル信号とを論理和処理して動作させることにより、マルチパス検出によるダイバーシティ制御では改善できない弱入力のＦＭ多重受信の音質、データ品質の改善が可能となる。
図５は図１のパイロット信号検出部２０とレベル変動検出部２１に代わる変形例である高域ノイズレベル検出部４０を示す図である。本図に示すように、パイロット信号検出部２０とレベル変動検出部２１に代わりに高域ノイズレベル検出部４０を設けてもよい。高域ノイズレベル検出部４０は、１００ＫＨｚ以上のノイズを検出する高域通過フィルタ４１と、高域通過フィルタ４１に接続され所定値Ｖr2以上のノイズレベルを検出する比較器４２とからなり、ノイズの検出の場合にはＦＭ多重データにノイズが重畳してエラーが発生しているとする。
【００３０】
次に、よりきめ細かなＦＭ多重受信限界が判定でき、不必要なダイバーシティ制御による逆効果を防ぐため、データエラー検出部１２により、Ｓレベルが一定値以下の時間が一定値以上の場合、Ｓレベル検出を行うことを説明する。
まず、ＦＭ多重データは誤り訂正符号によってある程度のデータエラーは訂正されるが、訂正の可否は単位時間当たりのエラーの数で決まる。すなわち、入力レベルが瞬時的に下がってデータエラーが発生しても符号長の中で訂正可能な時間以下であれば訂正される。そのため、一定時間以下の弱入力Ｓレベル検出時間を判別してアンテナの切換パルスを発生させるようにしてものである。時間の判別にはＳレベルの応答自体を遅くすることでも可能である。
【００３１】
時間の設定は、ＦＭ多重データが１６ｋｂｐｓで符号長を２７２ビット、訂正可能数８ビットで連続８ビットエラーする最悪ケースを考えれば、
0003638343.tif 000002
であり、
また、エラーが分散する最大ケースを考えれば、
0003638343.tif 000003
符号長分の時間となる。以下に具体的に説明を行う。
【００３２】
図６は図２のデータエラー検出部１２の変形例を示す図である。本図（ａ）に示すように、データエラー検出部１２の反転入力端子の前段に低域通過フィルタ３４が設けられる。このデータエラー検出１２の低域通過フィルタ３４により、Ｓレベルの急峻な変化が鈍化されＳレベルが一定値以下の時間が一定値以下の場合、Ｓレベル検出が行わなれない、すなわち一定時間以上一定値を維持する場合にＳレベルの検出が行われる。
【００３３】
図７は図６のデータエラー検出部１２の動作を説明する図である。本図（ａ）に示す実線のように、データエラー検出部１２にＳレベル信号が入力すると、  低域通過フィルタ３４により点線のように短い期間のＳレベル低下が鈍化しＳレベルが前記基準電圧Ｖr1を下回るのを避けることができ、このため本図（ｄ）のように点線のデータエラーを検出するのを阻止でき、不要なアンテナ切換を防止できる。本図（ａ）に示すように、Ｓレベルの点線が基準電圧Ｖr1を下た回る場合には、本図（ｃ）に示すように多重データの訂正ができず、実線が下回り点線が下回らない部分では、多重データの訂正が可能である。このため、本図（ｂ）に示すように、多重データの訂正ができない部分はダイバーシティ制御によりアンテナを切り換えるが、多重データの訂正ができる部分はアンテナの切換は、誤り訂正が可能なため、アンテナの切換が不要となる。
【００３４】
図６（ｂ）に示すデータエラー検出部１２は別の変形例であり、このデータエラー検出部１２の比較器３１の後段に検出時間判別部３５が設けられる。
図８は図６（ａ）のデータエラー検出部１２における検出時間判別部３５の動作を説明するフローチャートである。
ステップＳ１において、
比較器３１の出力電圧＜０
が成立する否かを判断する。この判断が「ＮＯ」でＳレベルが基準電圧Ｖr1を上回る場合には処理を終了し、「ＹＥＳ」であれば、ステップＳ２に進む。
【００３５】
ステップＳ２において、Ｓレベルが基準電圧Ｖr1を下回った時に、時間ｔの計測を開始する。
ステップＳ３において、計測時間ｔが式（１）又は（２）の前記時間幅ｔ0 と以下の様な大小比較を行い、
ｔ＞ｔ0
ならば、ステップＳ４に進み、そうでなければステップＳ１に戻り以上の手順を繰り返す。
【００３６】
ステップＳ４において、計測時間ｔが前記時間幅ｔ0 を越えた場合には、データエラーの検出用のパルス検出を発生する。
このようにして上記と同様の目的を達成することができる。
次に、音声受信、ＦＭ多重データ受信ともに良好な受信品質を得るために、データエラー検出部１２に、ＦＭ多重受信を判別する部分を持たせ、この判別結果によってＳレベルの検知レベルを変更することを説明する。
【００３７】
まず、ＦＭ受信機は、ＦＭ多重データ受信専用のものもあるが、本願の場合のように音声用との兼用品もある。兼用品の場合、ＦＭ多重が常に放送されない場合もあるので、放送状態に合わせてベストなダイバーシティ制御条件に設定することにより、不要なアンテナ切換を防止する。以下に具体的に説明する。
図９は図１のデータエラー検出部１２の他の変形例を示す図である。本図（ａ）に示すように、データエラー検出１２に比較器３１の非反転端子に異なる２つの基準電圧Ｖr11 、Ｖr12 （Ｖr11 ＜Ｖr12 ）を示す端子ａ、ｂに切り換えるスイッチ３４と、ＦＭ多重データの状況により該スイッチ３４を切り換える多重データ検出部３５とを備える。すなわち、音声用に設定する場合には、ＦＭ多重デー受信の基準電圧（Ｖr12 ）の場合よりも低い基準電圧に（Ｖr11 ）する。また、Ｖr11 を０ボルトにしてこの回路を全く動作させないようにＯＦＦにしてもよい。
【００３８】
図１０はＳレベルに対する基準電圧Ｖr11 、Ｖr12 を示す図である。本図に示すように、ＦＭ多重データ受信を検知した場合には、スイッチ３４の端子ａに切り換えられ、ＦＭ多重データ受信を検知しない場合には、スイッチ３４の端子ｂに切り換えられる。
本図（ｂ）に示すように、多重データ検出部３５は、具体的には、７６ｋＨｚバンドパスフィルタ８の出力を検波する検波部３６と、この検波信号を入力する比較器３７で構成される。
【００３９】
このようにして、多重データ検出部３５は、上記検波信号のレベルからＦＭ多重データ信号の有無を検出する。この場合、このような機能を図１のＦＭ多重復調・デコード部９の処理を行うマイクロコンピュータに持たせてもよい。
また、ＦＭ多重データが放送されている場合、ユーザが、どちらの受信を選択しているかを判断した方が良い場合がある。このため、ＦＭ多重受信選択スイッチを設けてもよい。さらに、データ呼び出し状態等の判別結果に連動して基準電圧の設定を変更させるようにしてもよい。
【００４０】
次に、マルチパス検出の頻度が多い場合に、ＦＭダイバーシティ受信機のＦＭ多重データ受信のマルチパスにおいて、不要なアンテナ切換を強制的に抑制することを、以下に説明する。
図１１は本発明の第２の実施例に係るＦＭダイバーシティ受信機を示す図である。本図に示すように、マルチパス検出部１１には、データエラー検出部１２を取り除き、図１のパイロット信号検出の代わりに、７６ｋＨｚバンドパスフィルタ８からの信号を検波する７６ｋＨｚ帯信号検波部２０が設けられ、スレシュホールド電圧比較部２２の出力にアンテナ選択信号発生部２４が直接接続され、スレシュホールド電圧比較部２２からのアンテナ切換信号の発生の発生状況に応じてスレシュホールド電圧比較部２２のスレシュホールド電圧を変更するスレシュホールド電圧変更部２５とが設けられる。
【００４１】
図１２は図１１のスレシュホールド電圧変更部２４を示す図である。本図に示すように、スレシュホールド電圧比較部２２の矩形のアンテナ切換信号を微分回路５１により微分し、ダイオードＤＩで負側のパルスを除去し、単安定マルチバイブレータ５２に一定時間幅のパルスを発生させ、このパルスを積分回路５３により積分して、スレシュホールド電圧比較部２２へのスレシュホールド電圧Ｖth0を形成する。
【００４２】
図１３は図１１のマルチパス検出部１１の出力信号を説明する図である。７６ｋＨｚバンドパスフィルタ８で抽出されたデータ信号は、マルチパスなどでひずんだ場合には、本図に示すような波形になる。７６ｋＨｚ帯信号検波部２０では点線のようにデータ信号が検波される。図３のレベル変動検出部２１の上段の減算回路では、７６ｋＨｚ帯信号検波部２０の正極の検波信号が、ＦＭ多重データの信号レベルの１０％に相当する基準信号を越えるレベル変動をマルチパス信号として検出する。同様に、レベル変動検出部２１の下段の減算回路では、７６ｋＨｚ帯信号検波部２０の正極の検波信号が、ＦＭ多重データの信号レベルの４％に相当する基準信号を下回るレベル変動をマルチパス信号として検出する。
【００４３】
図１４は図１１のスレシュホールド電圧比較部２２とスレシュホールド電圧変更部２５の動作を説明する図である。本図（ａ）、（ｃ）に示すように、スレシュホールド電圧比較部２２では、マルチパス検出信号のレベルとスレシューホルド電圧Ｖth0とを比較し、
Ｖth0＜マルチパス検出信号のレベル
の場合には、アンテナ選択信号発生部２４にアンテナ切換信号を出力し、
Ｖth0≧マルチパス検出信号のレベル
の場合には、アンテナ選択信号発生部２４へのアンテナ切換信号の出力を停止する。なお、アンテナ選択信号発生部２４では、前述のように、スレシュホールド電圧比較部２２からのアンテナ切換信号の立ち上がりで、アンテナ選択信号を反転して、アンテナ１−１、１−２を切り換えるのに使用する。
【００４４】
スレシュホールド電圧変更部２５は、本図（ｂ）に示すように、スレシュホールド電圧比較部２２のアンテナ切換信号の発生頻度が高いとスレシュホールド電圧Ｖth0が上昇し、スレシュホールド電圧比較部２２のアンテナ切換信号の発生頻度が低いとスレシュホールド電圧Ｖth0が下降する。
このように、アンテナ切換信号の高発生頻度に対してスレショホールド電圧Ｖth0を大きくする理由を説明する。アンテナ切換信号の高発生頻度になることは、レベル変動検出部２１の出力レベルの変動周期が短くなることを意味する。しかし、レベル変動検出部２１の出力レベルの観点では大きいものと小さいものが混在している場合がある。この場合、小さい出力レベルは相対的に正常な状態にあるので、小さい出力レベルでアンテナを切り換えることは不要であり、却って異常な状態に切り換えによりビットエラーの原因となる。
【００４５】
したがって、本形態によれば、ＦＭ多重データのレベル変動を検出するので、データのビットエラーと相関の高いマルチパス検出が行え、ＦＭ多重放送を受信するためにもともと必要な７６ｋＨｚバンドパスフィルタをマルチパス検出にも兼用するため、フィルタが余分に必要とならない。また、７６ｋＨｚ帯のレベル変動検出のため音声帯の高周波ひずみの影響を受けにくい。さらに、マルチパス検出の頻度が高い場合には不要なアンテナ切換に伴う受信データのビットエラーが低減する。
【００４６】
図１５は図１１のマルチパス検出部１１の変形例を示す図である。本図に示すように、マルチパス検出部１１のスレシュホールド電圧比較部２２とアンテナ選択信号発生部２４との間に誤検出防止回路２７が設けられる。この場合、スレシュホールド電圧変更部２５は誤検出防止回路２６から入力信号を得る。
図１６は誤検出防止回路２７を示す図である。誤検出防止回路２７は、レベル変動検出部２１の出力信号の積分器２７−１と、これに接続されるコンパレータ２７−２を具備する。誤検出防止回路２６により、イグニッションノイズなどによるマルチパス検出部１１でのマルチパス検出の誤検出がカットされる。なお、この積分器２７−１には抵抗に並列にダイオードが設けられ、コンデンサへの充電時間を放電時間よりも早めている。ノイズを除去しやすくするためである。
【００４７】
図１７は図１６の誤検出防止回路２７の動作を説明する図である。本図（ａ）に示すように、スレシュホールド電圧比較部２２の出力信号にイグニッションノイズが混入すると、本図（ｂ）に示すように、誤検出防止回路２７の積分器２７−１の出力信号▲１▼に示すように、イグニッションノイズのレベルが低下する。イグニッションノイズの時間幅が、アンテナ切換信号の時間幅に比較して、小さいためである。本図（ｃ）に示すように、誤検出防止回路２７のコンパレータ２７−２の出力信号▲２▼に示すように、イグニッションノイズが除去され、さらに、本図（ｂ）に示すスレシュホールドＶth4以上の元の信号の波形成形が行われる。
【００４８】
したがって、車載用で用いる際に、エンジンのイグニッションのノイズが電源ラインを伝わってくるが、これによる誤動作を防止できる。
図１８は図１５のダイバーシティ制御部の変形例を示す図である。本図に示すように、スレシュホールド電圧変更部２４及びアンテナ選択信号発生部２３の出力信号を基に、受信状況が改善されない時に、アンテナ１−１、１−２の切換制御の補助を行うアンテナ制御補助回路２８が設けられる。
【００４９】
図１９は図１８のアンテナ制御補助回路２８を示す図である。本図に示すアンテナ制御補助回路２８は、計測用クロック６１と、このクロックを計数し所定時間でリセット信号を出力するカウンタ６２と、アンテナ選択信号発生部２４の出力信号、計測用クロック６１のクロック信号、カウンタ６２のリセット信号を入力しアンテナ選択信号発生部６３の出力信号のうち「Ｈ（high) 」部分の時間を、リセット信号が入力するまで、計測するメイン選択時間計測部６３と、アンテナ選択信号発生部２４の出力信号、計測用クロック６１のクロック信号、カウンタ６２のリセット信号を入力しアンテナ選択信号発生部２４の出力信号のうち「Ｌ（low)」部分の時間を、リセット信号が入力するまで、計測するサブ選択時間計測部６４と、メイン選択時間計測部６３の計測時間とサブ選択時間計測部６４の計測時間とを比較する選択時間比較部６５と、スレシュホールド電圧変更部２５からのスレシュホールド電圧が、例えば連続アンテナ切換信号ｎ回分で到達する最大スレシューホルド電圧以上になったか否かを判定するスレシューホルド電圧判定部６６と、選択時間比較部６５とアンテナ切換回路２との間に接続され、スレシューホルド電圧判定部６６の最大スレショホールド電圧以上との判定の場合に、オンとなるスイッチ６７とを具備する。
【００５０】
図２０は図１９のアンテナ制御補助回路２８の動作を説明する図である。本図に示すように、カウンタ６２の所定時間τsに対して、メイン選択時間計測部６３の計測時間の合計Ｓｍは、アンテナ１−１（メイン側）の選択時間として、
Ｓｍ＝▲１▼＋▲２▼＋▲３▼
となる。サブ選択時間計測部６４の計測時間の合計Ｓｓは、アンテナ１−２（サブ側）の選択時間として、
Ｓｓ＝(1)＋(2)＋(3)
となる。
【００５１】
この計測時間の合計Ｓｍ、Ｓｓが選択時間比較部６５で比較され、スイッチ６７の出力は、
Ｓｍ≧Ｓｓ
の場合はアンテナ１−１（メイン側）に切換える信号を出力し、
Ｓｍ＜Ｓｓ
の場合はアンテナ１−２（サブ側）に切換える信号を出力する。
【００５２】
このようにして、ある一定期間τs、例えばスレシュホールド電圧の放電時定数あるいはそれに相当する期間よりも十分短い期間で連続してアンテナ切換信号が発生している状況（図１９参照）は、アンテナ１−１、１−２のどちらを選択してもマルチパスが発生している状況である。アンテナ制御補助回路２８によりこのようなときに受信状況が良い（マルチパスによる影響が軽い）方のアンテナが、アンテナ選択信号発生部２４の補助として、選択される。
【００５３】
なお、メイン選択時間計測部６３、サブ選択時間計測部６４でそれぞれのアンテナ選択時間の計測に代わり、アンテナ選択信号の立ち上がり立ち下がりでアンテナ１−１（メイン側）、１−２（サブ側）の選択回数を計測するようにしてもよい。例えば、立ち上がりでアンテナ１−１（メイン側）の選択回数を計測し、立ち下がりでアンテナ１−２（サブ側）の選択回数を計測する。
【００５４】
したがって、メイン、サブのアンテナ１−１、１−２がマルチパス妨害を受けているときであっても、より受信状況の良い方のアンテナを選択することが可能になる。
図２１は図１１のマルチパス検出部１１の変形例を示す図である。本図に示すように、マルチパス検出部１１は、７６ｋＨｚバンドパスフィルタ８からのデータ信号の周波数分析を行うためにＦＦＴ(Fast Fourier Transformation) からなる周波数分析部４３と、周波数分析結果を基にひずみを受けず正常に受信された周波数成分と比較し、異常なレベルの周波数成分の有無を判別してその結果をアンテナ選択信号発生部２４に出力するレベル判別器４４とを具備する。
【００５５】
図２２図２１のマルチパス検出部１１の動作を説明する図である。レベル判定器４２により、ひずみを受け異常に受信された周波数成分（本図点線参照）が、本図の点線に示すように、ひずみを受けず正常に受信された周波数成分（本図実線参照）を越えるレベル変動を求め、このレベル変動を周波数に関して平均して得たレベル変動をマルチパス検出信号としてスレシュホールド電圧比較部２２に出力する。
【００５６】
図２３は図２１のマルチパス検出部１１の変形例を示す図である。本図に示すように、７６ｋＨｚバンドパスフィルタ８の出力に接続され、中心周波数ｆ1、ｆ2、…ｆnの信号を抽出する複数のバンドパスフィルタ４５と、複数のバンドパスフィルタ４５のそれぞれに接続され、周波数に関して図２１に示す正常な場合のレベル分布をそれぞれの基準レベルとして使用し、これらの基準レベルを越えるレベル変動分を求める複数のレベル判別器４６と、複数のレベル判別器４６の出力を平均化しその結果をアンテナ選択信号発生部２４に出力する平均化部４７とを具備する。
【００５７】
したがって、データ部のレベル変動を検出するので、データと相関の高いマルチパス検出が行える。また、７６ｋＨｚ帯のレベル変動検出のため音声帯の高調波ひずみの影響を受けにくい。さらに、マルチパス検出の誤検出を防止したので、受信データのビットエラーが低減する。
図２４は図１１のマルチパス検出部１１の別の変形例を示す図である。本図に示すように、マルチパス検出部１１に、レベル変動検出部２１の検出範囲を変更する検出範囲変更部２９が設けられる。
【００５８】
図２５は図２４の検出範囲変更部２９を示す図である。本図に示すように、検出範囲変更部２９は、復調回路４からコンポジット信号を入力しパイロット信号に対応する１９ｋＨｚ帯の信号を抽出する１９ｋＨｚ帯バンドパスフィルタ７１と、この抽出信号のレベルを基に１９ｋＨｚのパイロット信号の有無を判別しステレオ又はモノラルの区別を行うためのレベル判定器５２と、このレベル判定部７２によりレベル変動検出部２１のレベル変動を検出する範囲を決めるスレシュホールド電圧Ｖth1、Ｖth2を変更する電圧可変器７３とを具備する。
【００５９】
したがって、ＦＭ多重のデータは、ステレオのサブ信号（Ｌ−Ｒ）のすぐ上の周波数帯に、サブ信号のレベルにより、変調度を変化させるレベルコントロールＭＳＫ（Minimum Shift Keying）変調により多重されるが、モノラルの場合は変調度が固定であるので、ステレオとモノラルの２つの場合において、レベル変動検出のより最適なスレシュホールド電圧を設定することが可能になる。
【００６０】
図２６は図１１のマルチパス検出部１１の別の変形例を示す図である。本図に示すように、マルチパス検出部１１のスレシュホールド電圧比較部２２とアンテナ選択信号発生部２４との間にスレシュホールド電圧比較部２２からのアンテナ切換信号の数を低減する切換低減部３０が設けられる。
図２７は図２６の切換低減部３０を示す図である。本図に示すように、切換低減部３０は、スレシュホールド電圧比較部２２とアンテナ選択信号発生部２４との間にスイッチ８１と、アンテナ切換信号を基にマルチパス検出後一定期間アンテナ切換を停止させる電圧保持回路８２を具備する。
【００６１】
図２８は図２７のスイッチ８１及び電圧保持回路８２の具体例を示す図である。本図には、スレシュホールド電圧比較部２２の出力段を接地するスイッチング用トランジスタ８１と、スレシュホールド電圧比較部２２からのアンテナ切換信号を積分した電圧をスイッチング用トランジスタ８１のベースに印加する積分器８２とを具備する。
【００６２】
図２９は図２８のスイッチング用トランジスタ８１の動作を説明する図である。本図（ａ）に示すように、アンテナ切換信号があると、Ａ点の電圧はスイッチング用トランジスタ８１のベース・エミッタ間の電圧ＶBEを越えて徐々に減少する。この場合、ベース電圧がＶBE以上にある時間Ｔだけ、スイッチング用トランジスタ８１はｏｎとなる。この間に次のアンテナ切換信号があると、アンテナ選択信号発生部２４への入力がカットされる。その後、ベース電圧がＶBE未満になると、スイッチング用トランジスタ８１はｏｆｆとなる。このとき、アンテナ切換信号があると、アンテナ選択信号発生部２４これを入力する。なお、積分器８２は抵抗に並列にダイオードが接続され、充電時間を放電時間よりも短くしている。アンテナ切換信号発生後から電圧を保持するための前記時間Ｔを設けるためである。
【００６３】
図３０は図２７の切換低減部３０の変形例を示す図である。本図に示すパルスカウンタ８３は、クロック信号を入力し、アンテナ切換信号の入力で、クロック信号を計数し、同時にスイッチ８１をｏｆｆにする。パルスカウンタ８３の計数が所定時間Ｔになると、リセット信号を出力し、このリセット信号により、スイッチ８１はｏｎにされる。
【００６４】
したがって、マルチパス検出信号をある一定期間だけ次段の回路へ入力しないようにすることにより過度のアンテナ切換え数を低減することができる。
図３１は本発明の第３の実施の形態に係るＦＭダイバーシティ受信機を示す図である。本図に示すように、ＦＭダイバーシティ受信機のダイバーシティ制御部に、前述したデータエラー検出部１２と、同様に前述したように、このデータエラー検出部１２とマルチパス検出部１１の出力の論理和をとってアンテナ選択信号発生部２４に出力する論理和２３とが設けられるようにしてもよい。
【００６５】
このようにして、移動体がビルの影になったり、移動体が放送局から大きく離れて、Ｓレベルが小さくなった場合にはアンテナ１−１、１−２の切換が行われる。したがって、受信データのビットエラーにはマルチパスひずみによるものの他に単なる受信電界強度の低下によっても発生するので、Ｓレベルの低下（受信電界強度の低下）を検出し、アンテナ切換を行うことにより、受信レベル低下によるビットエラーを回避することができる。
【００６６】
【発明の効果】
以上説明したように本発明によれば、復調回路からのコンポジット信号から抽出した信号レベルの変動を検出して変動レベルが一定のスレシュホールド電圧を越えたときにマルチパス検出信号を出力し、復調回路からのＳレベルが基準値よりも小さくなるときにデータのエラー検出信号を出力するので、移動体がビルの影になったり、放送局から離れたときのように弱入力となった場合のようにマルチパス検出によるダイバシティだけでは改善できない弱入力のＦＭ多重受信品質の改善が可能になり、全体にＦＭ多重受信の品質が向上する。
基準値以下であるＳレベルが一定時間だけ継続する場合に、データエラー検出信号を出力するので、よりきめ細かなＦＭ多重受信限界が判定でき不必要なダイバシティ切換による逆効果を防ぐことができる。
データ信号の受信の有無を検出してデータ信号の受信が無い場合には、基準値の値を小さくしてデータエラー検出信号の出力を抑制するので、より音声、ＦＭ多重受信ともに良好な受信品質を得ることができる。
変動レベルがスレシュホールド電圧を越える場合には、このスレシュホールド電圧を大きくする変更を行うので、小さな変動レベルに対してはアンテナ切換頻度を強制的に低減し不要な切換を低減する。
マルチパス検出信号を積分して、外部から侵入する時間幅の小さいノイズを除去するので、車載用の場合、エンジンのイグニッションのノイズが電源ラインを伝わってくるが、これにより誤動作を防止できる。
２つのアンテナの選択の発生頻度が所定値以上になった場合には、具体的にはアンテナ切換回路に出力されるアンテナ選択信号の立ち上がり、立ち下がりで計測して、２つのアンテナの時間的な選択割合を比較し、２つのアンテナのうち選択割合が大きい方を選択するので、２つのアンテナがマルチパス妨害を受けているときであってもより受信状況の良い方のアンテナを選択することができる。
復調回路からのパイロット信号の有無を判別しステレオ又はモノラルの区別を行って、この区別を基に、コンポジット信号から抽出した信号レベルの変動の検出範囲を変更するので、レベル変動検出のより最適なスレシュホールド電圧を設定することができる。
復調回路のコンポジット信号からパイロット信号、データ信号の周波数を越える高域ノイズレベル、７６ｋＨｚバンドパスフィルタの出力を分岐信号から具体的には変動信号を形成することができ、特に、７６ｋＨｚバンドパスフィルタの抽出信号を用いる場合には、上記のように、パイロットフィルタ、高域ノイズ抽出用のフィルタが不要であり、ＦＭ多重データ処理に使用するバンドパスフィルタが使用でき、データと相関の高いマルチパス検出が可能になり音声体の高周波歪みを影響が受け難くい。
ＦＦＴ又は複数のバンドパスフィルタを用いて、７６ｋＨｚバンドパスフィルタの抽出信号を周波数分析し、周波数分析の結果のレベルが所定範囲から外れるレベル変動を検出しこれをマルチパス検出信号として求めるので、より詳細なレベル変動を基にマルチパス検出が可能になる。
復調回路からのコンポジット信号から抽出した信号レベルの変動を検出して変動レベルが一定のスレシュホールド電圧を越えたときにマルチパス検出信号を出力した後一定期間内のマルチパス検出信号の出力を阻止するので、過度のアンテナ切換を防止する。また、マルチパス検出信号のレベルが一定のスレシュホールド電圧を越える場合に時間の計測を開始し、一定の時間になるまで計測し、この間、マルチパス検出信号の出力を阻止するので、上記と同様に過度のアンテナ切換を防止する。
【図面の簡単な説明】
【図１】本発明の第１の実施の形態に係るＦＭダイバーシティ受信機を示す図である。
【図２】移動体ＦＭ多重放送の周波数配置を説明する図である。
【図３】図１のレベル変動検出部２１を示す図である。
【図４】図１のダイバーシティ制御処理を説明する図である。
【図５】図１のパイロット信号検出部２０とレベル変動検出部２１に代わる高域ノイズレベル検出部４０を示す図である。
【図６】図２のデータエラー検出部１２の変形例を示す図である。
【図７】図６のデータエラー検出部１２の動作を説明する図である。
【図８】図６（ａ）のデータエラー検出部１２における検出時間判別部３５の動作を説明するフローチャートである。
【図９】図１のデータエラー検出部１２の他の変形例を示す図である。
【図１０】Ｓレベルに対する基準電圧Ｖr11 、Ｖr12 を示す図である。
【図１１】本発明の第２の実施の形態に係るＦＭダイバーシティ受信機を示す図である。
【図１２】図１１のスレシュホールド電圧変更部２５を示す図である。
【図１３】図１１のマルチパス検出部１１の出力信号を説明する図である。
【図１４】図１１のスレシュホールド電圧比較部２２とスレシュホールド電圧変更部２５の動作を説明する図である。
【図１５】図１１のマルチパス検出部１１の変形例を示す図である。
【図１６】図１１の誤検出防止回路２７を示す図である。
【図１７】図１６の誤検出防止回路２７の動作を説明する図である。
【図１８】図１５のダイバーシティ制御部の変形例を示す図である。
【図１９】図１８のアンテナ制御補助回路２８を示す図である。
【図２０】図１９のアンテナ制御補助回路２８の動作を説明する図である。
【図２１】図１１のマルチパス検出部１１の変形例を示す図である。
【図２２】図２１のマルチパス検出部１１の動作を説明する図である。
【図２３】図２１のマルチパス検出部１１の変形例を示す図である。
【図２４】図１１のマルチパス検出部１１の変形例を示す図である。
【図２５】図２４の検出範囲変更部２９を示す図である。
【図２６】図１１のマルチパス検出部１１の別の変形例を示す図である。
【図２７】図２６の切換低減部３０を示す図である。
【図２８】図２７の電圧保持回路８２、スイッチ８１を示す図である。
【図２９】図２８のスイッチング用トランジスタ８１の動作を説明する図である。
【図３０】図２７の切換低減部３０の変形例を示す図である。
【図３１】本発明の第２の実施形態に係るＦＭダイバーシティ受信機を示す図である。
【符号の説明】
１−１、１−２…アンテナ
２…アンテナ切換回路
３…フロントエンド
４…復調回路
８…７６ｋＨｚバンドパスフィルタ
１１…マルチパス検出部
１２…データエラー検出部
２５…スレシュホールド電圧変更部
２７…誤検出防止回路
２８…アンテナ制御補助回路
２９…検出範囲変更部２９
３０…切換低減部
３５…ＦＭ多重検出部
４３…ＦＦＴ
【図１】
0003638343.tif 000004
【図２】
0003638343.tif 000005
【図３】
0003638343.tif 000006
【図４】
0003638343.tif 000007
【図５】
0003638343.tif 000008
【図６】
0003638343.tif 000009
【図７】
0003638343.tif 000010
【図８】
0003638343.tif 000011
【図９】
0003638343.tif 000012
【図１０】
0003638343.tif 000013
【図１１】
0003638343.tif 000014
【図１２】
0003638343.tif 000015
【図１３】
0003638343.tif 000016
【図１４】
0003638343.tif 000017
【図１５】
0003638343.tif 000018
【図１６】
0003638343.tif 000019
【図１７】
0003638343.tif 000020
【図１８】
0003638343.tif 000021
【図１９】
0003638343.tif 000022
【図２０】
0003638343.tif 000023
【図２１】
0003638343.tif 000024
【図２２】
0003638343.tif 000025
【図２３】
0003638343.tif 000026
【図２４】
0003638343.tif 000027
【図２５】
0003638343.tif 000028
【図２６】
0003638343.tif 000029
【図２７】
0003638343.tif 000030
【図２８】
0003638343.tif 000031
【図２９】
0003638343.tif 000032
【図３０】
0003638343.tif 000033
【図３１】
0003638343.tif 000034